(57)【特許請求の範囲】
【請求項１】
容器入口を密封するために高周波誘導加熱を用いる容器密封体において、
前記容器入口面（ｌｉｐ）に密着して熱接着されるリング状の熱接着密封帯１１２、前記熱接着密封帯１１２の内側に前記容器入口の内周面に沿って位置するリング状の開封誘導切断帯１０８、及び前記開封誘導切断帯１０８から延長して形成された開封タブ１０２を含む、開封切断線１０６が形成された上部層３００と；
耐熱性を有し、前記上部層３００の熱接着密封帯１１２及び前記開封誘導切断帯１０８と熱接着され、前記開封タブ１０２を引っ張った時、前記容器入口の内周面に沿って前記開封誘導切断帯１０８を含む前記上部層３００と共に開封される下部層４００と；
前記容器入口の外周面にネジ係合可能なキャップと；を含む容器密封体であって、
前記上部層３００には、更に前記開封誘導切断帯１０８から前記開封タブ１０２が延長する部分に前記開封誘導切断帯１０８を横切る開封誘導切断線１０４が形成されており、前記開封タブ１０２が引っ張られる時、前記開封誘導切断帯１０８が前記開封誘導切断線１０４で分離することにより、前記開封切断線１０６に沿って前記開封切断線１０６内側及び外側の下部層４００が互に分離して前記容器入口が開放され、前記容器入口が開放された後も、前記熱接着密封帯１１２及び前記開封切断線１０６外側の下部層４００が前記容器入口面に残り、前記容器入口に前記キャップを取り付けた時に前記容器入口と前記キャップとの密着状態を維持することができることを特徴とする、高周波誘導加熱を用いる容器密封体。
【請求項２】
前記上部層３００は、弾性を有するポリオレフィン系の発泡材質から構成された中間基材層３０４を含むことを特徴とする、請求項１に記載の高周波誘導加熱を用いる容器密封体。
【請求項３】
前記上部層３００は、前記中間基材層３０４の上部にラミネートされて熱接着性のないポリエステルフィルム（ｐｏｌｙｅｓｔｅｒ  ｆｉｌｍ）やポリプロピレンフィルム（ｐｏｌｙｐｒｏｐｙｌｅｎｅ  ｆｉｌｍ）から構成された表面層３０２をさらに含むことを特徴とする、請求項２に記載の高周波誘導加熱を用いる容器密封体。
【請求項４】
前記中間基材層３０４の下部にラミネートされて前記上部層３００が強い引張強度を有するようにする一方、前記開封タブ１０２が引っ張られる時、前記開封タブ１０２が切れずに容易に開放されるようにする材質からなる０．０１５〜０．２ｍｍの厚さを有するポリエステルフィルム（ｐｏｌｙｅｓｔｅｒ  ｆｉｌｍ）層３０６をさらに含むことを特徴とする、請求項３に記載の高周波誘導加熱を用いる容器密封体。
【請求項５】
前記ポリエステルフィルム（ｐｏｌｙｅｓｔｅｒ  ｆｉｌｍ）層３０６の下部にラミネートされて前記下部層４００と熱接着することができる０．０２〜０．０６ｍｍの厚さを有する熱接着性がある第１ポリプロピレンフィルム（ｐｏｌｙｐｒｏｐｙｌｅｎｅ  ｆｉｌｍ）層３０８をさらに含むことを特徴とする、請求項４に記載の高周波誘導加熱を用いる容器密封体。
【請求項６】
前記下部層４００は、前記上部層３００の下部にある熱接着性がある第１ポリプロピレンフィルム（ｐｏｌｙｐｒｏｐｙｌｅｎｅ）層３０８と熱接着される熱接着性がある第２ポリプロピレンフィルム（ｐｏｌｙｐｒｏｐｙｌｅｎｅ  ｆｉｌｍ）層４０２；
前記第２ポリプロピレンフィルム（ｐｏｌｙｐｒｏｐｙｌｅｎｅ  ｆｉｌｍ）層４０２の下部にラミネートされるアルミニウムホイル４０４；及び
前記アルミニウムホイル４０４にラミネートされる熱接着密封層４０６；を含むことを特徴とする、請求項５に記載の高周波誘導加熱を用いる容器密封体。
【請求項７】
前記アルミニウムホイル４０４は、前記第２ポリプロピレンフィルム（ｐｏｌｙｐｒｏｐｙｌｅｎｅ  ｆｉｌｍ）層４０２の下部にラミネートされて高周波誘導加熱による熱を発生させて、また実質的に容器の内外部を遮断して内容物を保護する機能を有する０．０１２ｍｍ〜０．１ｍｍの厚さからなることを特徴とする、請求項６に記載の高周波誘導加熱を用いる容器密封体。
【請求項８】
前記熱接着密封層４０６は、前記アルミニウムホイル（Ａｌｕｍｉｎｕｍ  ｆｏｉｌ）４０４の下部にラミネートされて前記容器と熱接着される熱接着性ポリプロピレン層からなり、前記熱接着密封層は、１３０度以上の温度にも耐える０．０２〜０．０８ｍｍの厚さを有することを特徴とする、請求項６に記載の高周波誘導加熱を用いる容器密封体。
【請求項９】
前記熱接着密封層４０６は、ポリエチレン（Ｐｏｌｙｅｔｈｙｌｅｎｅ）、ポリエチレンテレフタレート（Ｐｏｌｙｅｔｈｙｌｅｎｅｔｅｒｅｐｈｔｈａｌａｔｅ）、アイオノマー（Ｉｏｎｏｍｅｒ）、およびエチレンビニルアセテート（Ｅｔｈｙｌｅｎｅ  Ｖｉｎｙｌ  Ａｃｅｔａｔｅ）の中から選ばれたいずれか１つから構成されることを特徴とする、請求項６に記載の高周波誘導加熱を用いる容器密封体。
【発明の詳細な説明】
【技術分野】
【０００１】
本発明は、プラスチックやガラスなどの材質からなる容器の入口を密封する容器密封体に関し、特に、耐熱性、開封性及び気密性に優れた高周波誘導加熱を用いる容器密封体に関する。
【背景技術】
【０００２】
通常、プラスチックやガラスなどの材質からなる容器には容器入口が形成されている。
【０００３】
製品の流通過程で容器に充填された内容物を保護したり漏液などを防止したりするために、容器の入口を密封しなければならない。かかる容器の入口を密封するための密封材としてキャップｃａｐ、蓋、内側に緩衝材が挿入されたキャップ、熱圧着によって容器の入口を封印する熱シール体などが使用されている。
【０００４】
キャップ中に挿入される緩衝材としては、ポリオレフィン系の樹脂を発泡させた形態の弾性発泡パッキン材があり、熱シール体としては、コンダクションタイプのヒートシール（ｃｏｎｄｕｃｔｉｏｎ  ｔｙｐｅ  ｈｅａｔ−ｓｅａｌ）や高周波誘導加熱シール（ｈｉｇｈ  ｆｒｅｑｕｅｎｃｙ  ｉｎｄｕｃｔｉｏｎ  ｈｅａｔｉｎｇ  ｓｅａｌ）などがある。
【０００５】
最近では、容器を完璧に密封するために、大部分熱シール材を使用する趨勢である。
【０００６】
しかし、発泡パッキン材は気密性で劣り、熱シール体は容器に対する気密は完璧だが、容器入口を覆う形態のため開封が容易ではない。かかる問題点を解決するために、イージーピール（ｅａｓｙ  ｐｅｅｌ）形態の熱シール体を利用することもある。ところが、かかる熱シール体やイージーピール形態の熱シール体は、耐熱性に劣るため、レトルト製品のための容器には適用し難いという問題点がある。
【０００７】
図１は従来の熱シール体の例を示す。
【０００８】
図１の（ａ）を参照すると、開封タブ１０によって熱シール体２０の中央部分を開封することができるように構成したものが示される。かかる構造の熱シール材は開封用タブによって容器の入口を容易に開放させることができるが、開封部位の面積が小さく内容物を容易に取り出し難いという問題点がある。
【０００９】
一方、図１の（ｂ）を参照すると、熱シール材３０を剥がすことができるように構成したものが示される。かかる構造の熱シール材３０は開封部位を最大限広くすることはできるが、熱シール材３０を全部剥がすため、その後は密封機能を発揮することができなくなるという問題点がある。すなわち、熱シール材を剥がした後、再びキャップを閉めた場合、容器とキャップとの密着力が低下し、漏液などの発生を防ぐことができなくなるという問題点がある。
【００１０】
また一方で、図１に示された従来の熱シール材は、耐熱性が劣悪でレトルト製品に適合しないという問題点がある。レトルト製品は、容器の入口を密封した後、１３０度以上の高温で真空殺菌処理を行う。この過程で熱シール材の耐熱性が劣悪であれば、容器内部の熱が熱シール材を通じて外部に発散される。この場合、熱シール材を内側に内蔵するキャップが熱シール材を通じて発散される熱によって損傷する問題点がある。
【先行技術文献】
【特許文献】
【００１１】
【特許文献１】韓国公開特許第１０−２００９−０００３２２２号公報
【特許文献２】韓国公開特許第１０−１９８４−０００７７００号公報
【特許文献３】特開２０１２−０８１９９９号公報
【発明の概要】
【発明が解決しようとする課題】
【００１２】
本発明は、上述した問題点の少なくとも一部を解消するために考案されたものであって、その目的は、耐熱性に優れて一般の用途の容器だけでなく、レトルト製品用の容器にも適用することができる密封容器を提供することにある。
【００１３】
本発明の他の目的は、手軽に開封することができる開封構造を有しながらも、開封面積を最大限広くすることができて、容器内部に充填された内容物を手軽に取り出すことができるようになる容器密封体を提供することにある。
【００１４】
本発明のまた他の目的は、容器密封体を開封した後も容器入口の先端に、リング状の弾性と緩衝機能を有する一部の容器密封体が残るようになり、再びキャップを閉めた場合に残された一部の容器密封体の弾性及び緩衝作用によって容器とキャップとの密着力が維持され、内容物が漏れることなどを防ぐ２次的な密封機能を達成することができる容器密封体を提供することにある。
【課題を解決するための手段】
【００１５】
上記目的を達成する本発明による容器密封体は、
容器入口を密封するために適用される高周波誘導加熱を用いる容器密封体において、
前記容器入口面（ｌｉｐ）部分と密着して熱接着されるリング状の熱接着密封帯、前記熱接着密封帯１１２の内側に容器入口の内周面に沿って位置するリング状の開封誘導切断帯１０８、及び前記開封誘導切断帯１０８から延長形成された開封タブ１０２を含み、前記開封タブ１０２を引っ張った時、前記開封誘導切断帯１０８に沿って下部層４００が容器入口の内周面に沿って開封されるようにする開封切断線１０６が形成された上部層３００と；
耐熱性を有し、前記上部層３００の前記熱接着密封帯１１２及び前記開封誘導切断帯１０８と相互熱接着された下部層４００とを含んでなることを特徴とする。
【００１６】
前記開封タブ１０２が引っ張られる時、前記開封切断線１０６に沿って前記開封切断線１０６内側及び外側の下部層４００が相互分離して前記容器入口を開放するようにし、前記容器入口が開放された後も前記熱接着密封帯１１２及び前記開封切断線１０６外側の下部層４００が前記容器入口面に残っており、前記容器入口にキャップをかぶせた時に前記容器入口とキャップとの密着状態を効果的に維持させることができる。
【００１７】
ここで、前記上部層は熱接着性がない０．０１２ｍｍ〜０．０４ｍｍ程度の厚さを有するポリエステルフィルム（ｐｏｌｙｅｓｔｅｒ  ｆｉｌｍ）やポリプロピレンフィルム（ｐｏｌｙｐｒｏｐｙｌｅｎｅ  ｆｉｌｍ）から構成された表面層を含むことを特徴とする。
また、前記上部層は前記表面層にラミネートされて０．０３〜２ｍｍ程度の適切な厚さからなるポリオレフィン系の発泡材質から構成された中間基材層をさらに含むことを特徴とする。
【００１８】
また、前記上部層は前記中間基材層の下部にラミネートされて前記上部層が強い引張強度を有するようにする一方、前記開封タブが引っ張られる時、開封タブが切れずに容易に開放されるようにする材質からなる０．０１５〜０．２ｍｍ程度の厚さを有するポリエステルフィルム（ｐｏｌｙｅｓｔｅｒ  ｆｉｌｍ）層をさらに含むことが好ましい。
【００１９】
また、前記上部層は前記ポリエステルフィルム（ｐｏｌｙｅｓｔｅｒ  ｆｉｌｍ）層の下部にラミネートされて強い熱接着が可能となる０．０２〜０．０６ｍｍ程度の厚さを有する熱接着性第１ポリプロピレンフィルム（ｐｏｌｙｐｒｏｐｙｌｅｎｅ  ｆｉｌｍ）層をさらに含むことが好ましい。
【００２０】
ここで、前記下部層は前記上部層の下端部にある熱接着性ポリプロピレンフィルム（ｐｏｌｙｐｒｏｐｙｌｅｎｅ）と熱接着される同様の材質の熱接着性がある第２ポリプロピレンフィルム（ｐｏｌｙｐｒｏｐｙｌｅｎｅ  ｆｉｌｍ）層をさらに含むことが好ましい。
【００２１】
ここで、前記アルミニウムホイルは前記ポリプロピレンフィルム層の下部にラミネートされて高周波誘導加熱による熱を発生させて、また実質的に容器の内外部を遮断して内容物を保護する機能を有する０．０１２ｍｍ〜０．１ｍｍの適切な厚さからなることが好ましい。
【００２２】
ここで、前記熱密封接着層は前記アルミニウムホイル（Ａｌｕｍｉｎｕｍ  ｆｏｉｌ）の下部にラミネートされて１３０度以上の温度にも耐える０．０２〜０．０８ｍｍの厚さを有する熱接着性ポリプロピレン（ｐｏｌｙｐｒｏｐｙｌｅｎｅ）層からなることが好ましい。
【００２３】
ここで、前記熱密封接着層は、ポリエチレン（Ｐｏｌｙｅｔｈｙｌｅｎｅ）、ポリエチレンテレフタレート（Ｐｏｌｙｅｔｈｙｌｅｎｅ  ｔｅｒｅｐｈｔｈａｌａｔｅ）、アイオノマー（Ｉｏｎｏｍｅｒ）、及びエチレンビニルアセテート（Ｅｔｈｙｌｅｎｅ  Ｖｉｎｙｌ  Ａｃｅｔａｔｅ）の中から選ばれたいずれか１つから構成されるものであることを特徴とする。
【００２４】
ここで、前記開封タブを引っ張った時、前記上部層及び下部層が容器入口の内周面に沿って円柱形態に開放されるように構成されたリング状の開封誘導切断帯が形成されたことを特徴とする。
【００２５】
ここで、前記開封誘導切断帯に沿って開封切断線が形成されたことを特徴とする。
また、前記開封切断線の外側へ容器入口面（ｌｉｐ）部分と密着して熱接着することができるようにリング状の熱接着密封帯が形成されたことが好ましい。
【発明の効果】
【００２６】
上述したように本発明による容器密封体は、アルミニウムホイルを含む容器密着体が容器入口に強く熱シール（ｗｅｌｄ  ｓｅａｌ）が可能な構造からなっており、安全に容器の内容物を保護することができる効果を有する。
【００２７】
また、本発明による容器密封体は、開封タブと開封誘導切断線、開封切断線、開封誘導切断帯が形成されており、容器入口を容易に開封することができる効果を有する。
【００２８】
また、本発明による容器密封体は、容器開放の前の１次的密封効果以外にも、容器開放後も容器入口の先端（ｌｉｐ）部分に容器密封体の一部がリング状に残っており、再びキャップと容器を締結した時の容器密封体の弾性と緩衝性によって容器とキャップとの密着性を向上させ、内容物の漏れを防ぐ２次的な密封効果を有する。
【図面の簡単な説明】
【００２９】
【図１】従来の熱シール体の例を示す。
【図２】本発明による容器密封体を容器に適用した状態を示す斜視図である。
【図３】本発明による容器密封体において、開封タブを引っ張って容器入口を開放する状態を示す。
【図４】本発明による容器密封体を構成する過程を示す。
【図５】本発明による容器密封体を構成する上部層の構造を示す。
【図６】本発明による容器密封体の適用過程を示す。
【発明を実施するための形態】
【００３０】
図３は本発明による容器密封体において、開封タブを引っ張って容器入口を開放する状態を示す。
【００３１】
図３を参照すると、容器密封体１００の上部に形成された開封タブ１０２の上部を引っ張ると、容器２００入口の内周面に沿って形成される開封誘導切断帯１０８に沿って容器密封体１００の中央部分１１０が分離する。
【００３２】
以下、添付の図面を参照して、本発明の構成及び作用を詳細に説明することにする。
【００３３】
本明細書及び請求の範囲に使用された用語や単語は通常的や辞書的な意味に限定して解釈されてはならず、発明者はその自身の発明を最善の方法で説明するために用語の概念を適切に定義することができるという原則に即して、本発明の技術的思想に符合する意味と概念で解釈されなければならない。
【００３４】
本発明は熱接着力が強く耐熱性が強いシール体を構成し、このシール体に容器入口を容易に開放させることができる開封タブと開封切断線を設置することで、耐熱性及び開封性に優れた容器密封体を提供する。
【００３５】
また、本発明は、開封タブによって容器入口を開放した後も容器密封体の一部が容器入口の先端に残され、容器とキャップとの間の密着性を維持させることができる容器密封体を提供する。
【００３６】
図２は本発明による熱シール材を容器に適用した状態を示す斜視図である。
【００３７】
図２の（ａ）を参照すると、容器２００入口が本発明による容器密封体１００によって密封された状態が示される。
【００３８】
一方、図２の（ｂ）を参照すると、開封タブ１０２を引っ張ることによって容器密封体１００の中央部分１１０が分離して容器２００入口の開封された状態になるとともに、容器２００入口先端に容器密封体１００の中央部分１１０を除外したリング状の周辺部位１１２（熱接着密封帯）が残るようになることが示される。
【００３９】
図３は本発明による容器密封体において、開封タブを引っ張って容器入口を開放する状態を示す。
【００４０】
図３を参照すると、容器密封体１００の上部に形成された開封タブ１０２の上部を引っ張ると、容器２００入口の内周面に沿って形成される開封誘導切断帯１０８に沿って容器密封体１００の中央部分１１０が分離する。
【００４１】
図４は本発明による容器密封体を構成する過程を示す。
【００４２】
図４を参照すると、本発明による容器密封体１００は、以後に説明するように開封タブ１０２が形成された上部層３００と耐熱性を有する下部層４００を形成し、上部層３００と下部層４００を相互熱接着させて一体化することによって形成される。
【００４３】
上部層（ｔｏｐ  ｌａｙｅｒ）３００は様々な種類のプラスチックフィルムやフォーム（ｆｏａｍ）などから構成される。図４の上側から最上層に位置する表面層３０２は、０．０１２〜０．０２５ｍｍ程度厚さの熱接着性がないポリエステルフィルム（ｐｏｌｙｅｓｔｅｒ  ｆｉｌｍ）から構成されている。場合によって、この表面層３０２に印刷をすることもできる。
【００４４】
表面層３０２の下部に位置する中間基材層３０４は０．１〜２ｍｍ厚さのポリオレフィン（ｐｏｌｙｏｌｅｆｉｎ）系フォーム（ｆｏａｍ）からなるフィルムｆｉｌｍやシートｓｈｅｅｔであって、表面層３０２にラミネートされる。
【００４５】
キャップ２１０と容器２００を締結した時、中間基材層３０４の弾性作用によりキャップ２１０と容器２００との密着性が増加する。また、適切な厚さのフォームシート（ｆｏａｍ  ｓｈｅｅｔ）から構成されるため、下部層４００にあるアルミニウムホイル４０４で高周波誘導加熱による熱が発生した時、熱が表面層３０２に伝達されないようにする断熱機能を発揮する。これにより、熱接合時に発生する熱によってキャップ２１０が変形することが防止される。
【００４６】
そして、中間基材層３０４には適切な厚さ０．０３〜０２ｍｍのポリエステルフィルム層（ｐｏｌｙｅｓｔｅｒ  ｆｉｌｍ  ｌａｙｅｒ）３０６がラミネートされる。このポリエステルフィルム層３０６は非常に重要な役割をする。すなわち、ポリエステルフィルム（ｐｏｌｙｅｓｔｅｒ  ｆｉｌｍ）の強い引張強度によって上部層３００全体に強い引張強度を付与して上部層の開封タブと指輪（ｒｉｎｇ）形態の開封誘導切断帯１０８が切れないようにすると同時に、容器２００に密封された容器密封体を除去するにあたり上部層３００にある開封タブ１０２と円柱状の開封切断線１０６内側に位置した容器密封体１００の中央部分１１０が容易に切断されながら開封されるようにする役割をする。
【００４７】
ポリエステルフィルム層３０６の下部には熱接着性がある０．０２〜０．０６ｍｍ程度の厚さを有する熱接着性がある第１ポリプロピレンフィルム層（ｐｏｌｙｐｒｏｐｙｌｅｎｅ  ｆｉｌｍ  ｌａｙｅｒ）３０８がラミネートされる。このポリプロピレンフィルム層３０８は下部層４００の最上層にある同様の材質の熱接着性がある第２ポリプロピレンフィルム層４０２と熱接着される。
【００４８】
そして、容器２００に熱シールされるアルミニウムホイルを含む下部層４００は、前記に説明したように熱接着性を有する第２ポリプロピレンフィルム層４０２が最上部に構成され、その下部には０．０１２〜０．１ｍｍ程度の適切な厚さを有するアルミニウムホイル４０４がラミネートされる。このアルミニウムホイル４０４は、高周波誘導加熱による熱を発生させて容器２００の内外部を実質的に遮断させる役割をする。
【００４９】
そして、アルミニウムホイル４０４の下部には熱密封接着層４０６がラミネートされるかコーティング（ｃｏａｔｉｎｇ）される。容器２００がレトルトに適合したポリプロピレン（ｐｏｌｙｐｒｏｐｙｌｅｎｅ）材質からなる場合には、熱密封接着層４０６を０．０３〜０．１ｍｍ程度の適切な厚さからなる熱接着性ポリプロピレンフィルム（ｐｏｌｙｐｒｏｐｙｌｅｎｅ  ｆｉｌｍ）から構成し、容器２００がガラス（ｇｌａｓｓ）、ポリエチレン（Ｐｏｌｙｅｔｈｙｌｅｎｅ）、ポリエチレンテレフタレート（Ｐｏｌｙｅｔｈｙｌｅｎｅ  ｔｅｒｅｐｈｔｈａｌａｔｅ）などの材質からなるものである場合には、該当の材質によって熱接着性があるポリエチレン（Ｐｏｌｙｅｔｈｙｌｅｎｅ）、ポリエチレンテレフタレート（Ｐｏｌｙｅｔｈｙｌｅｎｅ  ｔｅｒｅｐｈｔｈａｌａｔｅ）、アイオノマー（Ｉｏｎｏｍｅｒ）、エチレンビニルアセテート（Ｅｔｈｙｌｅｎｅ  Ｖｉｎｙｌ  Ａｃｅｔａｔｅ）などのフィルム（ｆｉｌｍ）や樹脂（ｐｏｌｙｍｅｒ）をコーティング作業して構成する。
【００５０】
上述のように構成された上部層３００と下部層４００を相互熱接着させて全体的な容器密封体１００を構成するようになるが、それに先立ち上部層３００に開封タブ１０２と開封誘導切断線１０４と開封切断線１０６、リング状の開封誘導切断帯１０８を予め形成させた後、このように形成された上部層３００を下部層４００に熱接着する。
【００５１】
図５は本発明による容器密封体を構成する上部層の構造を示す。
【００５２】
図５を参照すると、本発明による容器密封体の上部層３００は開封タブ１０２、開封誘導切断線１０４、開封切断線１０６、開封誘導切断帯１０８、外切断線１１４、そして熱接着密封帯１１２を含む。すなわち、図４を参照して構成される上部層３００に開封誘導切断線１０４、開封切断線１０６、外切断線１１４を形成した後に開封タブ１０２、開封誘導切断帯１０８、そして熱接着密封帯１１２を残すように必要のない部分を切り捨てる。
【００５３】
開封タブ１０２と開封誘導切断線１０４と開封切断線１０６、リング状の開封誘導切断帯１０８、熱接着密封帯１１２などが形成された上部層３００を下部層４００に熱接着する。
【００５４】
図５に示されたものを再び参照すると、熱接着は開封タブ１０２を除外した開封誘導切断帯１０８と実際の容器と接着が行われる熱接着密封帯１１２部分に対してのみ行われる。このようにリング状の部分（開封誘導切断帯１０８、熱接着密封帯１１２）に対してのみ上部層３００と下部層４００を熱接着させた後に最終的に容器の規格に合うように外切断線１１４に合わせてカッティング（ｃｕｔｔｉｎｇ）またはパンチング（ｐｕｎｃｈｉｎｇ）作業を行って本発明の容器密封体１００を構成する。
【００５５】
開封タブ１０２によって容器２００入口が開封される原理は次のとおりである。
【００５６】
図５に示されたものを再び参照すると、下部層４００と熱接着されていない開封タブ１０２を手で握って上方に引っ張ると、上部層３００と下部層４００が熱接着されている開封誘導切断線１０４を始点としてリング状の開封誘導切断帯１０８が開封切断線１０６に沿って上側方向と円周方向に引っ張られるようになる。この時、下部層４００が予め切断された上部層３００の開封切断線１０６の模様に沿って破られるか切り抜かれる形態で分離して、開封が行われる。
【００５７】
図６は本発明による容器密封体の適用過程を示す。
【００５８】
図６を参照すると、まず、図６（ａ）乃至図６（ｄ）に示されるように、本発明による容器密封体１００をキャップ２１０の内側に装置する。
【００５９】
以後、図６（ｅ）に示されたように、キャップ２１０を容器２００に結合させた後、誘導加熱（ｉｎｄｕｃｔｉｏｎ  ｈｅａｔｉｎｇ）によって本発明の容器密封体１００を容器２００の開口部に接合させて密封する。
【００６０】
容器に詰められた製品を利用しようとする時、先にキャップ２１０を除去する。開封タブ１０２を握って上方に引っ張って容器２００入口を開放させる。
【産業上の利用可能性】
【００６１】
本発明による容器密封体は、開封タブと開封誘導切断線、開封切断線、開封誘導切断帯が形成されており、容器入口を容易に開封することができるようにする。
また、本発明による容器密封体は、容器開放の前の１次的密封効果以外にも、容器開放後も容器入口の先端（ｌｉｐ）部分に容器密封体の一部がリング状に残っており、容器とキャップとの間の密着性を向上させて内容物が漏れることを防ぐ２次的な密封効果を有する。
【符号の説明】
【００６２】
１００  容器密封体
１０２  開封タブ
１０４  開封誘導切断線
１０６  開封切断線
１０８  開封誘導切断帯
１１２  熱接着密封帯
３００  上部層
４００  下部層
【図１（ａ）】
0006406553.tif 000002
【図１（ｂ）】
0006406553.tif 000003
【図２】
0006406553.tif 000004
【図３】
0006406553.tif 000005
【図４】
0006406553.tif 000006
【図５（ａ）】
0006406553.tif 000007
【図５（ｂ）】
0006406553.tif 000008
【図６】
0006406553.tif 000009